(57)【要約】【課題】用途に合わせた複数種の生理用品を、整理してトイレ内に収納保管可能で、且つ、生理の状態に合わせて最適な用品を容易に取り出すことができる生理用品収納ボックスを提供する。【解決手段】トイレット内に備える生理用品収納ボックスであって、  筐体の背面にトイレ壁面の掛け具を嵌合する掛け具穴１６を備えた筐体１０からなり、前記筐体１０内部を仕切る棚板１０ｃにより容量の異なる３収納区画１１、１２、１３を設けて、それぞれの収納区画の前面開口には生理用品を収納する際に開閉可能に設けられた収納扉１４を備え、前記収納扉１４は、底板との間に生理用品を取り出すことができる間隙を開けて収納区画の高さに対して短く形成され、さらに収納扉下部には、生理用品を取り出すとき、指先がボックス内の生理用品を把持可能に挿入できる切りかき部１５を備えることを特徴とする。【選択図】図１
0003106931.tif 000002
【実用新案登録請求の範囲】
【請求項１】
トイレット内に備える生理用品収納ボックスであって、
筐体の背面にトイレ壁面の掛け具を嵌合する掛け具穴を備えた筐体からなり、前記筐体内部を仕切る棚板により容量の異なる３収納区画を設けて、それぞれの収納区画の前面開口には生理用品を収納する際に開閉可能に設けられた収納扉を備え、
前記収納扉は、底板との間に生理用品を取り出すことができる間隙を開けて収納区画の高さに対して短く形成され、さらに収納扉下部には、生理用品を取り出すとき、指先がボックス内の生理用品を把持可能に挿入できる切りかき部を備えることを特徴とする生理用品収納ボックス。
【請求項２】
前記３収納区画は、それぞれ通常生理用品、夜間長時間用生理用品、少量用生理用品用に異なる容量の大きさの順に区画を割り当て、それぞれの種類の生理用品の販売単位とされる枚数を一度に収納可能な容積を持つ所定寸法に形成することを特徴とする請求項１記載の生理用品収納ボックス。
【考案の詳細な説明】
【技術分野】
【０００１】
本考案は、トイレット内に備える生理用品収納ボックスの構造に関する。
【背景技術】
【０００２】
従来、女性が居住する住宅の水洗トイレット内には、水洗に流すことができない使用済み生理用品を収納する汚物入れが備えられていた。しかし、新規使用や交換のための生理用品は、予め別に設けられている生理用品収納場所から、トイレット内に持参しているのが殆どであった。このため、突然の生理では、生理用品の持参のために往復しなければならず、さらに、毎回持参する手間をかけているわずらわしさがあった。
【０００３】
特許文献１には、生理用品や薬品をトイレ使用状態で得ることが可能な小物入れ付きトイレットペーパ保管容器が提案されている。この発明によれば、トイレットペーパの予備を収納する筒体のトイレットペーパ保管筐部と、そのトイレットペーパ保管筐部の底面の下部に生理用品、薬品等の小物入れ筐体を引出し可能に設けるための小物入れ筐体収納部とを一体に構成して、生理用品をトイレ内に保管可能にすることができる。
【０００４】
また、特許文献２には、トイレット内において用いられる各種備品の特性に対応した収納部を各別に備えた備品収納家具が提案されている。この発明では、トイレットペーパ（ロールペーパ）の棚状収納部、生理用品の収納可能な箱状収納部、便器洗浄剤の収納部、柄付きの掃除用具などの縦長収納部、使用済み生理用品の汚物入れが出し入れ自在に収納される収納部などが設けられている。
【０００５】
しかしながら、特許文献１、特許文献２のいずれの発明においても、生理用品の収納部は引出し方式で、取り出しが面倒であると共に、複数種の生理用品を整理収納出来ない問題があった。また、収納スペースが狭く、生理用品購入単位の袋を開封した場合、その一部きりしか収納できなかった。
【０００６】
【特許文献１】特開２００４−１０５３６２号公報（第２、３頁、第１図）
【特許文献２】特開平９−１０８１５１号公報（第２、３頁、第１図）
【考案の開示】
【考案が解決しようとする課題】
【０００７】
本考案は前述した問題に鑑みてなされたもので、用途に合わせた複数種の生理用品を、整理してトイレ内に収納保管可能で、且つ、生理の状態に合わせて保管されている最適な用品を容易に取り出すことができる生理用品収納ボックスを提供することを課題とする。
【課題を解決するための手段】
【０００８】
前記課題を解決するため、本考案の生理用品収納ボックスは、トイレット内に備える生理用品収納ボックスであって、
筐体の背面にトイレ壁面の掛け具を嵌合する掛け具穴を備えた筐体からなり、前記筐体内部を仕切る棚板により容量の異なる３収納区画を設けて、それぞれの収納区画の前面開口には生理用品を収納する際に開閉可能に設けられた収納扉を備え、
前記収納扉は、底板との間に生理用品を取り出すことができる間隙を開けて収納区画の高さに対して短く形成され、さらに収納扉下部には、生理用品を取り出すとき、指先がボックス内の生理用品を把持可能に挿入できる切りかき部を備えることを特徴とする。
【０００９】
前記３収納区画は、それぞれ通常生理用品、夜間長時間用生理用品、少量用生理用品用に異なる容量の大きさの順に区画を割り当て、それぞれの種類の生理用品の販売単位とされる枚数を一度に収納可能な容積を持つ所定寸法に形成することを特徴とする。
【考案の効果】
【００１０】
本考案の生理用品収納ボックスによれば、トイレット内に、生理用品を整理して常備することができる。また、生理の状況に応じた複数種類の生理用品が、異なる収納区画に整理されて常備される。
【００１１】
また、収納する生理用品は、生理用品収納ボックスが、販売単位とされる枚数を一度に収納可能な容量を持つため、開封した生理用品を残さず収納することができる。このため、補給・収納の手間を少なくすることができる。
【００１２】
また、一々収納扉を開けなくても、扉下部の間隙から、目的の生理用品を取り出すことができる。さらに扉には切りかき部が形成されているため、取出しに際して、指先がボックス内の生理用品を把持可能に挿入できるため、扉を開けることなく１個ずつ容易に取出すことができる。
【００１３】
また、本考案の生理用品収納ボックスは、トイレット内床面の任意の位置に配設することもできるが、前記筐体の背面に掛け具穴を備えているため、トイレットの壁面に取付けて利用することにより、座位のままで、生理用品の取り出しができる。
【考案を実施するための最良の形態】
【００１４】
本考案の実施の形態を図に基づいて詳細に説明する。図１は、本考案の生理用品収納ボックスの実施の形態を示す斜視図である。図２（ａ）はその正面図、（ｂ）は側面図である。
【００１５】
図１及び図２を参照して本考案の生理用品収納ボックスの一実施の形態の構造を説明する。
【００１６】
生理用品収納ボックスは、四角柱状の箱で、上下に天板１０ａと底板１０ｆ、左右に側板１０ｂ、背面に背板１０ｄを有する前面が開口した構造の筐体１０で形成されている。
【００１７】
筐体１０の内部は、棚板１０ｃで容量の異なる３つの収納区画１１、１２、１３に仕切られる。この実施の形態では、収納区画１１、収納区画１２、収納区画１３の順に小さな容量としている。
【００１８】
最上部の収納区画１１はもっとも多く使用される通常生理用品の収納区画、次の収納区画１２は夜間長時間用の大型生理用品の収納区画、下段の収納区画１３は少量用の小型（薄型）生理用品用の収納区画であり、それぞれの種類の生理用品の販売単位とされる枚数を一度に収納可能な容積を持つ所定寸法に形成している。
【００１９】
実施の一例として、幅１３センチ、奥行き１１センチの筐体では、それぞれの高さ寸法として２８センチ、１８センチ、８センチの高さ寸法に区切ると、現在販売の主流となっている生理用品の収納に最適な寸法とすることができる。生理用品の性能品質の向上から、薄型、小型化の進展がされているので、その進展にあわせて本考案の生理用品収納ボックスも小型、短い高さ寸法にしてもよい。
【００２０】
それぞれの収納区画１１、１２、１３には、開口部に収納扉１４ａ、１４ｂ、１４ｃが備えられている。収納扉１４の材質は、内部の収納品が見えない不透明材で形成することが望ましい。
【００２１】
収納扉１４は、一方の側壁１０ｂに蝶番１７で開閉可能に固定され、反対側の側壁１０ｂとの間に設けられた扉保持具１８で閉じられた状態に保持されている。
【００２２】
この実施の形態の扉保持具１８は、図１及び図２（ｂ）に示すように、収納扉側に磁石に吸着される金物１８ａ、側壁側に永久磁石１８ｂを備えた構成としている。別の実施の形態としては、側壁１０ｂ側にプラスチック成形で形成された嵌合部を設け、収納扉１４側に嵌合部に係合する形状のフックを設けた形態など、よりコストを低減できる形態とすることが望ましい。
【００２３】
本考案の収納扉１４は、収納区画１１、１２、１３の高さに対し、下部に隙間を作るように短い寸法に形成され、さらに、収納扉１４ａ、ｂ、ｃの下部に、それぞれ切りかき部１５ａ、ｂ、ｃが形成されている。
【００２４】
前記隙間は、それぞれ収納する生理用品１個の製品の厚さに略等しい高さとし、収納扉１４を開けることなく、収納区画内に指を挿入し、生理用品を１個ずつ取出せる構造としてある。なお、図１に示す実施の形態では、扉１４ａは薄型の生理用品にあわせて、隙間を少なくした形態を示す。
【００２５】
また、収納扉１４の下部の切りかき部１５は、収納ボックス内の生理用品を把持可能に指先を挿入し易くしている。
【００２６】
図２は、本考案の生理用品収納ボックスの実施の形態であり、（ａ）は正面図、（ｂ）は側面図である。図１と同一の部材には同符号を付して説明を省略する。
【００２７】
図２（ｂ）において、筐体１０の背板１０ｄ上部に、掛け具穴１６が設けられている。トイレットの壁面に、突起を形成する掛け具（図示せず）を設ければ本考案の生理用品収納ボックスを任意の壁面に、任意の高さで取付けることができる。
【００２８】
なお、本考案の生理用品収納ボックスは、トイレットの床面に立てて配置することもできる。
【００２９】
収納区画１３には、仕切り１０ｅが設けられ、小型（薄型）生理用品を収納区画の扉側に取り出し易く収納できるようにしている。
【００３０】
図３は、生理用品３０の収納状態を示す。この図では生理用品３０が収納区画１１、１２、１３内に積み重ねて収納されている状態を示す。なお、横幅１３センチの筐体の場合、生理用品によっては横積み重ねの他に、立てた状態で左右の隙間にも収納することができる。
【００３１】
生理用品の取り出しは、収納扉１４の下部の間隙から最下段の生理用品から取り出す。その際、扉下部の切りかき部１５が形成されているため、指を収納区画内に挿入し生理用品の端を把持し易くなされている。
【００３２】
本考案の生理用品収納ボックスの材質は、合成樹脂板、木材、紙製板材などのいずれであってもよい、又、型により合成樹脂の射出成形で形成してもよい。
【００３３】
なお、本考案の収納ボックスは、生理用品の収納に限るものではなく、トイレット内に備えると便利な用品であれば、いずれの物品であっても収納して利便性を享受することができる。また、例えば、紙おむつなどの収納に用いることもできる。
【図面の簡単な説明】
【００３４】
【図１】本考案の生理用品収納ボックスの実施の形態を示す斜視図である。
【図２】本考案の生理用品収納ボックスの実施の形態を示す図で（ａ）は正面図、（ｂ）は側面図である。
【図３】本考案の生理用品収納ボックスの生理用品の収納状態を示す説明図である。
【符号の説明】
【００３５】
１０    筐体
１０ａ  天板
１０ｂ  側板
１０ｃ  棚板
１０ｄ  背板
１０ｅ  仕切り
１０ｆ  底板
１１    収納区画
１２    収納区画
１３    収納区画
１４    収納扉
１４ａ  収納扉（収納区画１１部用）
１４ｂ  収納扉（収納区画１２部用）
１４ｃ  収納扉（収納区画１３部用）
１５、１５ａ、１５ｂ、１５ｃ  切りかき部（収納扉下部）
１６    掛け具穴
１７    蝶番
１８    扉保持具
１８ａ  金物
１８ｂ  永久磁石
３０    生理用品
【図１】
0003106931.tif 000003
【図２】
0003106931.tif 000004
【図３】
0003106931.tif 000005